(57)【要約】【課題】片手で簡単にベッド等を上下動することができ、しかも電気を使用しない手動式であり、必要な時に必要な空間を確保することができると共に、物置としても使用できる上下動ベッドを提供する。【解決手段】壁面等に取り付ける支柱と、該支柱に沿って上下動するバランスウエートと、該ウエートと連動するスライド具と、該スライド具にベッド等を支持する支持具とからなることを特徴とする。【選択図】  図１
2004321740.tif 000002
【特許請求の範囲】
【請求項１】
壁面等に取り付ける支柱と、該支柱に沿って上下動するバランスウエートと、該ウエートと連動するスライド具と、該スライド具にベッド等を支持する支持具とからなることを特徴とする上下動ベッド。
【請求項２】
上部に滑車を設けてなる支柱本体を複数本設け、その間にバランスウエートを設けると共に、滑車を介してワイヤーにてバランスウエートとスライド具を連結してなることを特徴とする請求項１記載の上下動ベッド。
【請求項３】
バランスウエートにウエート調整具を設けてなることを特徴とする請求項１又は２記載の上下動ベッド。
【請求項４】
支持具に、折り畳み可能な補助脚を設けてなることを特徴とする請求項１、２又は３記載の上下動ベッド。
【発明の詳細な説明】
【０００１】
【発明の属する技術分野】
本発明は、狭い部屋の空間を有効利用できる上下動ベッドに関するものである。
【０００２】
【従来の技術】
従来の技術としては、床から天井高まであり断面のある４本の集成材の長手方向に等間隔に数箇所溝を掘り、ベットサイズ（長さ、幅はフリー）になるように支柱として立てる。次に、この溝に両短手方向に棚板をはめ込み、上部４辺は横材でつなぎ固定して短辺の中央から長手方向に鉄棒を渡し、さらに、両方の棚の外側にネットなどを張ることもできるベットサイズの棚付き可動可変多目的スペースがある。（特許文献１参照）
【０００３】
【特許文献１】
特開２００２−２０９６５２号公報（請求項１、図１）
【０００４】
【発明が解決しようとする課題】
上記従来の技術では、所要の棚板にベッドを取り付け、他の棚板にベッドを移動する場合、２人掛りでベッドを持ち上げ、一方の棚板にベッドの一端を置き、つづいて他方の棚板にベッドの他端を置くことで移動が完了するもので、多大な労力を必要とし、特に必要に応じて毎日上げ下げする必要がある場合は、まず使用できないものである。
【０００５】
本発明は、上記の問題点に鑑みなされたもので、片手で簡単にベッド等を上下動することができ、しかも電気を使用しない手動式であり、必要な時に必要な空間を確保することができると共に、物置としても使用できる上下動ベッドを提供することを目的とする。
【０００６】
【課題を解決するための手段】
上記課題を解決するための手段として、壁面等に取り付ける支柱と、該支柱に沿って上下動するバランスウエートと、該ウエートと連動するスライド具と、該スライド具にベッド等を支持する支持具とからなること。また、上部に滑車を設けてなる支柱本体を複数本設け、その間にバランスウエートを設けると共に、滑車を介してワイヤーにてバランスウエートとスライド具を連結してなること。さらに、バランスウエートにウエート調整具を設けてなること。その上、支持具に、折り畳み可能な補助脚を設けてなることを特徴とする。
【０００７】
【発明の実施の形態】
以下、本発明の上下動ベッドについて図面に基づいて説明する。
１は、上下動ベッドである。
２は、室内の壁面に取り付ける支柱で、上部に滑車２ａ１を設けてなる２本の支柱本体２ａを連結体２ｂにて連結してなる。
なお、支柱本体２ａは角状パイプとし、内側及び外側にスリット部２ａ２を形成してなるものであり、下部にストッパー２ａ３を突設してある。
３は、平板状のバランスウエートで、両端に抜止部３ａを設けたもので、上部滑車２ａ１に取り付けたワイヤー４の一端に固定してなる。
なお、必要に応じてフック３ｂ１を設けた平板状のウエート調整具３ｂを設けてもよい。
５は、上記バランスウエート３とワイヤー４にて連動するスライド具で、スライド具本体５ａに支柱本体２ａ内で上下動するローラー５ｂを２箇所設けてなり、ワイヤー４の他端を固定してなる。
６は、上記スライド具５に設けたベッド等を支持するＬ字形の支持具であり、前面中央に取手６ａを設けてある。
【０００８】
以下に、上下動ベッド１の使用例を述べる。
まず、部屋Ｈの壁面Ｋに支柱２をボルト等にて固定する。
つぎに、支持具６の上面にベッドＢを載置する。
この状態で、取手６ａを掴み、支持具６を下方に移動させストッパー２ａ３にて係止させ、ベッドＢを使用することができる。
なお、この時バランスウエート３はワイヤー４を介して滑車２ａ１により上方に移動し、所要位置で止まる。
また、同時にスライド具５はローラー５ｂが回転し、支持具６と一緒に下方に移動するものである。
【０００９】
つぎに、ベッドＢを上方に移動させる場合は、取手６ａを掴み、上方に押し上げることにより、バランスウエート３を下方に移動させることができ、上部にベッドＢを保持できるものである。
つまり、ベッドＢを載置した支持具６の重さとバランスウエート３との重さを均衡（必要に応じてウエート調整具３ｂを使用する）させることにより、片手で簡単にベッドＢを上下動させることができる。
なお、使用位置は下方にテレビＴＶやテーブルＴがある場合、ストッパー２ａ３の位置を上方に設ければよい。
【００１０】
つづいて、他の実施例を説明する。
上下動ベッド２１は、支持具２６の前面両側に出し入れ自在なピン７ａに軸支した補助脚７を設けてなるもので、使用時に支持具２６の片持ち負荷を軽減できるものである。
必要に応じて補助脚７に、雄ネジ軸（図示せず）による長さ調整具を設けてもよい。
【００１１】
なお、上記各実施例において、バランスウエートの重さは使用するベッドに合せて設定すればよい。
また、支持具の形状や支柱本体の本数は特に限定することはない。
さらに、使用する部屋は子供部屋、居間等自由に選定すればよい。
さらにまた、ベッドのみならず、物置スペースとしても使用でき、便利なものである。
【００１２】
【発明の効果】
１）、片手で簡単にベッド等を上下動することができ、しかも電気を使用しない手動式であり、必要な時に必要な空間を確保でき、部屋を広く使用できる。
２）、支持具とベッド等を合せた重さと、バランスウエートとの重さを調整するウエート調整具を設けることにより、好きな形状と重さを有するベッドを使用することができる。
３）、補助脚を設けることにより、支持具の片持ち負荷を軽減することができる。
４）、物置としても使用でき、多目的に使用できる。
【図面の簡単な説明】
【図１】本発明の第１実施例を示す上下動ベッドの正面図。
【図２】本発明の第１実施例を示す上下動ベッドの側面図。
【図３】本発明の第１実施例を示す上下動ベッドのスライド具の平面図。
【図４】本発明の第１実施例を示す上下動ベッドのバランスウエートの平面図。
【図５】本発明の上下動ベッドの使用状態図。
【図６】本発明の第２実施例を示す上下動ベッドの正面図。
【図７】本発明の第２実施例を示す上下動ベッドの平面図。
【符号の説明】
１−−−上下動ベッド
２−−−支柱
３−−−バランスウエート
４−−−ワイヤー
５−−−スライド具
６−−−支持具
【図１】
2004321740.tif 000003
【図２】
2004321740.tif 000004
【図３】
2004321740.tif 000005
【図４】
2004321740.tif 000006
【図５】
2004321740.tif 000007
【図６】
2004321740.tif 000008
【図７】
2004321740.tif 000009